(57)【要約】  サイドリンクのチャネル状態情報の測定を要求する要求信号を受信する受信部と、前記要求信号に基づき、送信側の通信装置からサイドリンクを介して送信され前記受信部により受信された信号に基づき、前記サイドリンクのチャネル状態情報を導出する制御部と、前記導出されたサイドリンクのチャネル状態情報を送信する送信部とを有する通信装置が提供される。
2020136853.tif 000002
【特許請求の範囲】
【請求項１】
サイドリンクのチャネル状態情報の測定を要求する要求信号を受信する受信部と、
前記要求信号に基づき、送信側の通信装置からサイドリンクを介して送信され前記受信部により受信された信号に基づき、前記サイドリンクのチャネル状態情報を導出する制御部と、
前記導出されたサイドリンクのチャネル状態情報を送信する送信部と
を有する通信装置。
【請求項２】
前記受信部は、基地局から送信された前記要求信号を、前記送信側の通信装置を介して前記サイドリンクで受信し、
前記送信部は、前記導出されたチャネル状態情報を前記サイドリンクを介して前記送信側の通信装置に送信する
請求項１に記載の通信装置。
【請求項３】
前記制御部は、前記要求信号に含まれる前記送信側の通信装置の識別子に基づき、前記導出されたチャネル状態情報の送信先を前記送信側の通信装置に設定し、
前記制御部は、前記送信部に、前記要求信号により指定されるサイドリンクのリソースを介して前記サイドリンクのチャネル状態情報を前記送信側の通信装置宛に送信させる、
請求項２に記載の通信装置。
【請求項４】
前記受信部は、基地局から送信された前記要求信号を、前記送信側の通信装置を介さずに受信し、
前記制御部は、前記送信側の通信装置から周期的に送信される信号に基づき、前記サイドリンクのチャネル状態情報を導出し、
前記送信部は、前記導出されたチャネル状態情報を、前記送信側の通信装置を介さずに、前記基地局に送信する、
請求項１に記載の通信装置。
【請求項５】
前記制御部は、前記サイドリンクのチャネル状態情報を送信するための送信リソースと、ダウンリンクのチャネル状態情報を送信するための送信リソースとが競合した場合において、前記サイドリンクのチャネル状態情報及び前記ダウンリンクのチャネル状態情報に対して設定されている優先順位に基づき、優先順位の最も高いチャネル状態情報を前記送信部に送信させ、優先順位の最も低いチャネル状態情報を前記送信部に送信させない
請求項１に記載の通信装置。
【請求項６】
サイドリンクのチャネル状態情報の測定を要求する要求信号を受信するステップと、
前記要求信号に基づき、送信側の通信装置からサイドリンクを介して受信された信号に基づき、前記サイドリンクのチャネル状態情報を導出するステップと、
前記導出されたサイドリンクのチャネル状態情報を送信するステップと
を有する、通信装置によるチャネル状態情報測定方法。
【発明の詳細な説明】
【技術分野】
【０００１】
本発明は、無線通信システムにおける通信装置及びチャネル状態情報測定方法に関連するものである。
【背景技術】
【０００２】
ＬＴＥ（Ｌｏｎｇ  Ｔｅｒｍ  Ｅｖｏｌｕｔｉｏｎ）及びＬＴＥの後継システム（例えば、ＬＴＥ−Ａ（ＬＴＥ  Ａｄｖａｎｃｅｄ）、ＮＲ（Ｎｅｗ  Ｒａｄｉｏ）（５Ｇとも呼ぶ））では、ＵＥ等の通信装置同士が基地局を介さないで直接通信を行うサイドリンク（Ｄ２Ｄ（Ｄｅｖｉｃｅ  ｔｏ  Ｄｅｖｉｃｅ）とも呼ぶ）技術が検討されている（非特許文献１）。【０００３】
また、Ｖ２Ｘ（Ｖｅｈｉｃｌｅ  ｔｏ  Ｅｖｅｒｙｔｈｉｎｇ）を実現することが検討され、仕様化が進められている。ここで、Ｖ２Ｘとは、ＩＴＳ（Ｉｎｔｅｌｌｉｇｅｎｔ  Ｔｒａｎｓｐｏｒｔ  Ｓｙｓｔｅｍｓ）の一部であり、図１に示すように、自動車間で行われる通信形態を意味するＶ２Ｖ（Ｖｅｈｉｃｌｅ  ｔｏ  Ｖｅｈｉｃｌｅ）、自動車と道路脇に設置される路側機（ＲＳＵ：Ｒｏａｄ−Ｓｉｄｅ  Ｕｎｉｔ）との間で行われる通信形態を意味するＶ２Ｉ（Ｖｅｈｉｃｌｅ  ｔｏ  Ｉｎｆｒａｓｔｒｕｃｔｕｒｅ）、自動車とドライバーのモバイル端末との間で行われる通信形態を意味するＶ２Ｎ（Ｖｅｈｉｃｌｅ  ｔｏ  Ｎｏｍａｄｉｃ  ｄｅｖｉｃｅ）、及び、自動車と歩行者のモバイル端末との間で行われる通信形態を意味するＶ２Ｐ（Ｖｅｈｉｃｌｅ  ｔｏ  Ｐｅｄｅｓｔｒｉａｎ）の総称である。
【先行技術文献】
【非特許文献】
【０００４】
【非特許文献１】３ＧＰＰ  ＴＳ  ３８．２１３  Ｖ１５．３．０  （２０１８−０９）
【非特許文献２】３ＧＰＰ  ＴＳ  ３８．２１１  Ｖ１５．３．０  （２０１８−０９）
【非特許文献３】３ＧＰＰ  ＴＳ  ３８．３３１  Ｖ１５．３．０  （２０１８−０９）
【発明の概要】
【発明が解決しようとする課題】
【０００５】
サイドリンクで通信する通信装置にサイドリンクで受信した信号を測定させ、当該通信装置が、サイドリンクのチャネル状態情報を、例えば、基地局に通知することにより、サイドリンクの通信のスケジューリングをより適切に行うことが可能となる。【０００６】
サイドリンクで通信する通信装置にサイドリンクで受信した信号を測定させ、当該通信装置にサイドリンクのチャネル状態情報を通知させることを可能とする技術が必要とされている。
【課題を解決するための手段】
【０００７】
本発明の一態様によれば、サイドリンクのチャネル状態情報の測定を要求する要求信号を受信する受信部と、前記要求信号に基づき、送信側の通信装置からサイドリンクを介して送信され前記受信部により受信された信号に基づき、前記サイドリンクのチャネル状態情報を導出する制御部と、前記導出されたサイドリンクのチャネル状態情報を送信する送信部とを有する通信装置、が提供される。
【発明の効果】
【０００８】
実施例によれば、サイドリンクで通信する通信装置にサイドリンクで受信した信号を測定させ、当該通信装置にサイドリンクのチャネル状態情報を通知させることを可能とする技術が提供される。
【図面の簡単な説明】
【０００９】
【図１】Ｖ２Ｘを説明するための図である。
【図２Ａ】サイドリンクを説明するための図である。
【図２Ｂ】サイドリンクを説明するための図である。
【図３】サイドリンク通信に用いられるＭＡＣ  ＰＤＵを説明するための図である。
【図４】ＳＬ−ＳＣＨ  ｓｕｂｈｅａｄｅｒのフォーマットを説明するための図である。
【図５】サイドリンクで使用されるチャネル構造の例を説明するための図である。
【図６】実施の形態に係る無線通信システムの構成例を示す図である。
【図７】通信装置のリソース選択動作を説明するための図である。
【図８Ａ】ＮＲのＶ２Ｘで規定されるＳＬ  ｔｒａｎｓｍｉｓｓｉｏｎ  ｍｏｄｅ  １の概要を示す図である。
【図８Ｂ】ＳＬ  ｔｒａｎｓｍｉｓｓｉｏｎ  ｍｏｄｅ  ２ａの概要を示す図である。
【図８Ｃ】ＳＬ  ｔｒａｎｓｍｉｓｓｉｏｎ  ｍｏｄｅ  ２ｃの概要を示す図である。
【図８Ｄ】ＳＬ  ｔｒａｎｓｍｉｓｓｉｏｎ  ｍｏｄｅ  ２ｄの概要を示す図である。
【図９Ａ】ユニキャストＰＳＣＣＨ／ＰＳＳＣＨ送信の例を示す図である。
【図９Ｂ】グループキャストＰＳＣＣＨ／ＰＳＳＣＨ送信の例を示す図である。
【図９Ｃ】ブロードキャストＰＳＣＣＨ／ＰＳＳＣＨ送信の例を示す図である。
【図１０】例１の動作例を示す図である。
【図１１】例２の動作例を示す図である。
【図１２Ａ】例３の動作例を示す図である。
【図１２Ｂ】例３の動作例の変形例を示す図である。
【図１３】実施の形態に係る基地局１０の機能構成の一例を示す図である。
【図１４】実施の形態に係る通信装置２０の機能構成の一例を示す図である。
【図１５】実施の形態に係る基地局１０及び通信装置２０のハードウェア構成の一例を示す図である。
【発明を実施するための形態】
【００１０】
以下、図面を参照して本発明の実施の形態（本実施の形態）を説明する。なお、以下で説明する実施の形態は一例に過ぎず、本発明が適用される実施の形態は、以下の実施の形態に限られるわけではない。
【００１１】
本実施の形態における通信装置間の直接通信の方式はＬＴＥあるいはＮＲのサイドリンク（ＳＬ（Ｓｉｄｅｌｉｎｋ））であることを想定しているが、直接通信の方式は当該方式に限られない。また、「サイドリンク」という名称は一例であり、「サイドリンク」という名称が使用されずに、ＵＬ（Ｕｐｌｉｎｋ）が、ＳＬの機能を含むこととしてもよい。ＳＬは、ＤＬ（Ｄｏｗｎｌｉｎｋ）又はＵＬと周波数又は時間リソースの違いによって区別されてもよく、他の名称であってもよい。
【００１２】
また、ＵＬとＳＬとが、時間リソース、周波数リソース、時間・周波数リソース、送信電力制御においてＰａｔｈｌｏｓｓを決定するために参照する参照信号、同期するために使用する参照信号（ＰＳＳ／ＳＳＳ／ＰＳＳＳ／ＳＳＳＳ）のいずれか１つ又はいずれか複数の組み合わせの違いによって区別されてもよい。
【００１３】
例えば、ＵＬでは、送信電力制御においてＰａｔｈｌｏｓｓを決定するために参照する参照信号として、アンテナポートＸの参照信号を使用し、ＳＬ（ＳＬとして使用するＵＬを含む）では、送信電力制御においてＰａｔｈｌｏｓｓを決定するために参照する参照信号として、アンテナポートＹの参照信号を使用する。
【００１４】
また、本実施の形態では、通信装置が車両に搭載される形態を主に想定しているが、本発明の実施形態は、この形態に限定されない。例えば、通信装置は人が保持する端末であってもよいし、通信装置がドローンあるいは航空機に搭載される装置であってもよいし、通信装置が基地局、ＲＳＵ、中継局（リレーノード）、スケジューリング能力を有するユーザ装置等であってもよい。
【００１５】
（サイドリンクの概要）
本実施の形態では、サイドリンクを基本技術とすることから、まず、基本的な例として、サイドリンクの概要について説明する。ここで説明する技術の例は３ＧＰＰのＲｅｌ．１４等で規定されている技術である。当該技術は、ＮＲにおいて使用されてもよいし、ＮＲでは、当該技術と異なる技術が使用されてもよい。
【００１６】
サイドリンクには、大きく分けて「ディスカバリ」と「コミュニケーション」がある。「ディスカバリ」については、図２Ａに示すように、Ｄｉｓｃｏｖｅｒｙ  ｐｅｒｉｏｄ毎に、Ｄｉｓｃｏｖｅｒｙメッセージ用のリソースプールが設定（ｃｏｎｆｉｇｕｒｅｄ）され、通信装置（ＵＥと称される）はそのリソースプール内でＤｉｓｃｏｖｅｒｙメッセージ（発見信号）を送信する。より詳細にはＴｙｐｅ１、Ｔｙｐｅ２ｂがある。Ｔｙｐｅ１では、通信装置が自律的にリソースプールから送信リソースを選択する。Ｔｙｐｅ２ｂでは、上位レイヤシグナリング（例えばＲＲＣ信号）により準静的なリソースが割り当てられる。
【００１７】
「コミュニケーション」についても、図２Ｂに示すように、ＳＣＩ（Ｓｉｄｅｌｉｎｋ  Ｃｏｎｔｒｏｌ  Ｉｎｆｏｒｍａｔｉｏｎ）／データ送信用のリソースプールが周期的に設定される。送信側の通信装置はＣｏｎｔｒｏｌリソースプール（ＰＳＣＣＨリソースプール）から選択されたリソースでＳＣＩによりデータ送信用リソース（ＰＳＳＣＨリソースプール）等を受信側に通知し、当該データ送信用リソースでデータを送信する。「コミュニケーション」について、より詳細には、モード１とモード２がある。モード１では、基地局から通信装置に送られる（Ｅ）ＰＤＣＣＨ（（Ｅｎｈａｎｃｅｄ）  Ｐｈｙｓｉｃａｌ  Ｄｏｗｎｌｉｎｋ  Ｃｏｎｔｒｏｌ  Ｃｈａｎｎｅｌ）によりダイナミックにリソースが割り当てられる。モード２では、通信装置はリソースプールから自律的に送信リソースを選択する。リソースプールについては、ＳＩＢで通知される等、予め定義されたものが使用される。
【００１８】
また、Ｒｅｌ−１４では、モード１とモード２に加えて、モード３とモード４がある。Ｒｅｌ−１４では、ＳＣＩとデータとを同時に（１サブフレームで）、周波数方向に隣接したリソースブロックで送信することが可能である。なお、ＳＣＩをＳＡ（ｓｃｈｅｄｕｌｉｎｇ  ａｓｓｉｇｎｍｅｎｔ）と称する場合がある。
【００１９】
「ディスカバリ」に用いられるチャネルはＰＳＤＣＨ（Ｐｈｙｓｉｃａｌ  Ｓｉｄｅｌｉｎｋ  Ｄｉｓｃｏｖｅｒｙ  Ｃｈａｎｎｅｌ）と称され、「コミュニケーション」におけるＳＣＩ等の制御情報を送信するチャネルはＰＳＣＣＨ（Ｐｈｙｓｉｃａｌ  Ｓｉｄｅｌｉｎｋ  Ｃｏｎｔｒｏｌ  Ｃｈａｎｎｅｌ）と称され、データを送信するチャネルはＰＳＳＣＨ（Ｐｈｙｓｉｃａｌ  Ｓｉｄｅｌｉｎｋ  Ｓｈａｒｅｄ  Ｃｈａｎｎｅｌ）と称される。ＰＳＣＣＨとＰＳＳＣＨはＰＵＳＣＨベースの構造を有し、ＤＭＲＳ（Ｄｅｍｏｄｕｌａｔｉｏｎ  Ｒｅｆｅｒｅｎｃｅ  Ｓｉｇｎａｌ、復調参照信号）が挿入される構造になっている。
【００２０】
サイドリンクに用いられるＭＡＣ（Ｍｅｄｉｕｍ  Ａｃｃｅｓｓ  Ｃｏｎｔｒｏｌ）ＰＤＵ（Ｐｒｏｔｏｃｏｌ  Ｄａｔａ  Ｕｎｉｔ）は、図３に示すように、少なくともＭＡＣ  ｈｅａｄｅｒ、ＭＡＣ  Ｃｏｎｔｒｏｌ  ｅｌｅｍｅｎｔ、ＭＡＣ  ＳＤＵ（Ｓｅｒｖｉｃｅ  Ｄａｔａ  Ｕｎｉｔ）、Ｐａｄｄｉｎｇで構成される。ＭＡＣ  ＰＤＵはその他の情報を含んでも良い。ＭＡＣ  ｈｅａｄｅｒは、１つのＳＬ−ＳＣＨ（Ｓｉｄｅｌｉｎｋ  Ｓｈａｒｅｄ  Ｃｈａｎｎｅｌ）ｓｕｂｈｅａｄｅｒと、１つ以上のＭＡＣ  ＰＤＵ  ｓｕｂｈｅａｄｅｒで構成される。
【００２１】
図４に示すように、ＳＬ−ＳＣＨ  ｓｕｂｈｅａｄｅｒは、ＭＡＣ  ＰＤＵフォーマットバージョン（Ｖ）、送信元情報（ＳＲＣ）、送信先情報（ＤＳＴ）、Ｒｅｓｅｒｖｅｄ  ｂｉｔ（Ｒ）等で構成される。Ｖは、ＳＬ−ＳＣＨ  ｓｕｂｈｅａｄｅｒの先頭に割り当てられ、通信装置が用いるＭＡＣ  ＰＤＵフォーマットバージョンを示す。送信元情報には、送信元に関する情報が設定される。送信元情報には、ＰｒｏＳｅ  ＵＥ  ＩＤに関する識別子が設定されてもよい。送信先情報には、送信先に関する情報が設定される。送信先情報には、送信先のＰｒｏＳｅ  Ｌａｙｅｒ−２  Ｇｒｏｕｐ  ＩＤに関する情報が設定されてもよい。
【００２２】
サイドリンクのチャネル構造の例を図５に示す。図５に示すように、「コミュニケーション」に使用されるＰＳＣＣＨのリソースプール及びＰＳＳＣＨのリソースプールが割り当てられている。また、「コミュニケーション」のチャネルの周期よりも長い周期で「ディスカバリ」に使用されるＰＳＤＣＨのリソースプールが割り当てられている。
【００２３】
また、サイドリンク用の同期信号としてＰＳＳＳ（Ｐｒｉｍａｒｙ  Ｓｉｄｅｌｉｎｋ  Ｓｙｎｃｈｒｏｎｉｚａｔｉｏｎ  ｓｉｇｎａｌ）とＳＳＳＳ（Ｓｅｃｏｎｄａｒｙ  Ｓｉｄｅｌｉｎｋ  Ｓｙｎｃｈｒｏｎｉｚａｔｉｏｎ  ｓｉｇｎａｌ）が用いられる。また、例えばカバレッジ外動作のためにサイドリンクのシステム帯域、フレーム番号、リソース構成情報等のブロードキャスト情報（ｂｒｏａｄｃａｓｔ  ｉｎｆｏｒｍａｔｉｏｎ）を送信するＰＳＢＣＨ（Ｐｈｙｓｉｃａｌ  Ｓｉｄｅｌｉｎｋ  Ｂｒｏａｄｃａｓｔ  Ｃｈａｎｎｅｌ）が用いられる。ＰＳＳＳ／ＳＳＳＳ及びＰＳＢＣＨは、例えば、１つのサブフレームで送信される。ＰＳＳＳ／ＳＳＳＳをＳＬＳＳと称してもよい。
【００２４】
なお、本実施の形態で想定しているＶ２Ｘは、「コミュニケーション」に係る方式である。ただし、本実施の形態では、「コミュニケーション」と「ディスカバリ」の区別が存在しないこととしてもよい。また、本実施の形態に係る技術が、「ディスカバリ」で適用されてもよい。
【００２５】
（システム構成）
図６は、本実施の形態に係る無線通信システムの構成例を示す図である。図６に示すように、本実施の形態に係る無線通信システムは、基地局１０、通信装置２０Ａ、及び通信装置２０Ｂを有する。なお、実際には多数の通信装置が存在し得るが、図６は例として通信装置２０Ａ、及び通信装置２０Ｂを示している。
【００２６】
図６において、通信装置２０Ａは送信側、通信装置２０Ｂは受信側を意図しているが、通信装置２０Ａと通信装置２０Ｂはいずれも送信機能と受信機能の両方を備える。以下、通信装置２０Ａ、２０Ｂ等を特に区別しない場合、単に「通信装置２０」あるいは「通信装置」と記述する。図６では、一例として通信装置２０Ａと通信装置２０Ｂがともにカバレッジ内にある場合を示しているが、本実施の形態における動作は、全部の通信装置２０がカバレッジ内にある場合と、一部の通信装置２０がカバレッジ内にあり、他方の通信装置２０がカバレッジ外にある場合と、全部の通信装置２０がカバレッジ外にある場合のいずれにも適用できる。
【００２７】
本実施の形態において、通信装置２０は、例えば、自動車等の車両に搭載された装置であり、ＬＴＥあるいはＮＲにおけるＵＥとしてのセルラ通信の機能、及び、サイドリンク機能を有している。更に、通信装置２０は、ＧＰＳ装置、カメラ、各種センサ等、報告情報（位置、イベント情報等）を取得する機能を含む。また、通信装置２０が、一般的な携帯端末（スマートフォン等）であってもよい。また、通信装置２０が、ＲＳＵであってもよい。当該ＲＳＵは、ＵＥの機能を有するＵＥタイプＲＳＵであってもよいし、基地局の機能を有するＢＳタイプＲＳＵ（ｇＮＢタイプＵＥと呼ばれてもよい）、又は中継局であってもよい。
【００２８】
なお、通信装置２０は１つの筐体の装置である必要はなく、例えば、各種センサが車両内に分散して配置される場合でも、当該各種センサを含めた装置が通信装置２０である。また、通信装置２０は各種センサを含まずに、各種センサとデータを送受信する機能を備えることとしてもよい。
【００２９】
また、通信装置２０のサイドリンクの送信の処理内容は基本的には、ＬＴＥあるいはＮＲでのＵＬ送信の処理内容と同様である。例えば、通信装置２０は、送信データのコードワードをスクランブルし、変調してｃｏｍｐｌｅｘ−ｖａｌｕｅｄ  ｓｙｍｂｏｌｓを生成し、当該ｃｏｍｐｌｅｘ−ｖａｌｕｅｄ  ｓｙｍｂｏｌｓ（送信信号）を１又は２レイヤにマッピングし、プリコーディングを行う。そして、ｐｒｅｃｏｄｅｄ  ｃｏｍｐｌｅｘ−ｖａｌｕｅｄ  ｓｙｍｂｏｌｓをリソースエレメントにマッピングして、送信信号（例：ＣＰ−ＯＦＤＭ、ＤＦＴ−ｓ−ＯＦＤＭ）を生成し、各アンテナポートから送信する。
【００３０】
また、基地局１０については、ＬＴＥあるいはＮＲにおける基地局１０としてのセルラ通信の機能、及び、本実施の形態における通信装置２０の通信を可能ならしめるための機能（例：リソースプール設定、リソース割り当て等）を有している。また、基地局１０は、ＲＳＵ（ｇＮＢタイプＲＳＵ）、中継局、又はスケジューリング機能を有する通信装置であってもよい。
【００３１】
また、本実施の形態に係る無線通信システムにおいて、通信装置２０がＳＬあるいはＵＬに使用する信号波形は、ＯＦＤＭＡであってもよいし、ＳＣ−ＦＤＭＡであってもよいし、その他の信号波形であってもよい。また、本実施の形態に係る無線通信システムにおいては、一例として、時間方向には、複数のサブフレーム（例：１０個のサブフレーム）からなるフレームが形成され、周波数方向は複数のサブキャリアからなる。１サブフレームは１送信時間間隔（ＴＴＩ：Ｔｒａｎｓｍｉｓｓｉｏｎ  Ｔｉｍｅ  Ｉｎｔｅｒｖａｌ）の一例である。ただし、ＴＴＩは、サブフレームであるとは限らない。例えば、ＴＴＩは、ｓｌｏｔ又はｍｉｎｉ−ｓｌｏｔ、その他の時間領域の単位であってもよい。また、サブキャリア間隔に応じて、１サブフレームあたりのスロット数が定まることとしてもよい。また、１スロットあたりのシンボル数が１４シンボルであってもよい。
【００３２】
本実施の形態では、通信装置２０は、基地局１０から通信装置に送られる（Ｅ）ＰＤＣＣＨ（（Ｅｎｈａｎｃｅｄ）Ｐｈｙｓｉｃａｌ  Ｄｏｗｎｌｉｎｋ  Ｃｏｎｔｒｏｌ  Ｃｈａｎｎｅｌ）によりダイナミックにリソースが割り当てられるモードであるモード１、通信装置が自律的にリソースプールから送信リソースを選択するモードであるモード２、基地局１０からＳＬ信号送信のためのリソースが割り当てられるモード（以降、モード３と呼ぶ）、自律的にＳＬ信号送信のためのリソースを選択するモード（以降、モード４と呼ぶ）のいずれのモードも取り得る。モードは、例えば、基地局１０から通信装置２０に設定される。
【００３３】
図７に示すように、モード４の通信装置（図７ではＵＥとして示す）は、同期した共通の時間・周波数グリッドから無線のリソースを選択する。例えば、通信装置２０は、バックグラウンドでセンシングを行って、センシング結果の良好なリソースであって、他の通信装置に予約されていないリソースを候補リソースとして特定し、候補リソースから送信に使用するリソースを選択する。
【００３４】
（ＮＲのＶ２Ｘの概要）
ＮＲのＶ２Ｘでは、ＬＴＥのＶ２Ｘで規定されている、ＳＬ  ｔｒａｎｓｍｉｓｓｉｏｎ  ｍｏｄｅ  ３及びＳＬ  ｔｒａｎｓｍｉｓｓｉｏｎ  ｍｏｄｅ  ４と同様の送信モードが規定されている。
【００３５】
以下、図８Ａ〜図８Ｄを参照して、ＮＲのＶ２Ｘで規定されている送信モードの概要を説明する。
【００３６】
図８Ａは、ＮＲのＶ２Ｘで規定されるＳＬ  ｔｒａｎｓｍｉｓｓｉｏｎ  ｍｏｄｅ  １の概要を示す図である。ＮＲのＶ２Ｘで規定されるＳＬ  ｔｒａｎｓｍｉｓｓｉｏｎ  ｍｏｄｅ  １は、ＬＴＥのＶ２Ｘで規定されている、ＳＬ  ｔｒａｎｓｍｉｓｓｉｏｎ  ｍｏｄｅ  ３に対応する。ＮＲのＶ２Ｘで規定されるＳＬ  ｔｒａｎｓｍｉｓｓｉｏｎ  ｍｏｄｅ  １では、基地局１０が送信リソースをスケジューリングして、送信側の通信装置２０Ａに送信リソースを割り当てる。通信装置２０Ａは、割り当てられた送信リソースにより、信号を受信側の通信装置２０Ｂに送信する。
【００３７】
図８Ｂ、図８Ｃ、及び図８Ｄは、ＮＲのＶ２Ｘで規定されているＳＬ  ｔｒａｎｓｍｉｓｓｉｏｎ  ｍｏｄｅ  ２の概要を示す図である。ＮＲのＶ２Ｘで規定されるＳＬ  ｔｒａｎｓｍｉｓｓｉｏｎ  ｍｏｄｅ  ２は、ＬＴＥのＶ２Ｘで規定されている、ＳＬ  ｔｒａｎｓｍｉｓｓｉｏｎ  ｍｏｄｅ  ４に対応する。
【００３８】
図８Ｂは、ＳＬ  ｔｒａｎｓｍｉｓｓｉｏｎ  ｍｏｄｅ  ２ａの概要を示す図である。ＳＬ  ｔｒａｎｓｍｉｓｓｉｏｎ  ｍｏｄｅ  ２ａでは、例えば、送信側の通信装置２０Ａは、自律的に送信リソースを選択して、選択した送信リソースにより、信号を受信側の通信装置２０Ｂに送信する。
【００３９】
図８Ｃは、ＳＬ  ｔｒａｎｓｍｉｓｓｉｏｎ  ｍｏｄｅ  ２ｃの概要を示す図である。ＳＬ  ｔｒａｎｓｍｉｓｓｉｏｎ  ｍｏｄｅ  ２ｃでは、例えば、基地局１０が一定周期の送信リソースを、通信装置２０Ａに対して事前に設定して、通信装置２０Ａは、事前に設定された一定周期の送信リソースにより、信号を受信側の通信装置２０Ｂに送信する。ここで、基地局１０が通信装置２０Ａに対して一定周期の送信リソースを事前に設定することに代えて、例えば、仕様により、一定周期の送信リソースが通信装置２０Ａに対して事前に設定されていてもよい。
【００４０】
図８Ｄは、ＳＬ  ｔｒａｎｓｍｉｓｓｉｏｎ  ｍｏｄｅ  ２ｄの概要を示す図である。ＳＬ  ｔｒａｎｓｍｉｓｓｉｏｎ  ｍｏｄｅ  ２ｄでは、例えば、通信装置２０Ａが基地局１０と同様の動作を行う。具体的には、通信装置２０Ａは、送信リソースをスケジューリングして、受信側の通信装置２０Ｂに送信リソースを割り当てる。通信装置２０Ｂは、割り当てられた通信リソースにより、信号を他の通信装置２０に送信してもよい。すなわち、通信装置２０Ａは、他の通信装置２０の送信を制御してもよい。
【００４１】
また、ＮＲでは、図９Ａ〜図９Ｃに示すように、通信の種別として、ユニキャスト、グループキャスト、及びブロードキャストの３種類の通信の種別が現在検討されている。
【００４２】
図９Ａは、ユニキャストＰｈｙｓｉｃａｌ  Ｓｉｄｅｌｉｎｋ  Ｓｈａｒｅｄ  Ｃｈａｎｎｅｌ（ＰＳＣＣＨ）／Ｐｈｙｓｉｃａｌ  Ｓｉｄｅｌｉｎｋ  Ｃｏｎｔｒｏｌ  Ｃｈａｎｎｅｌ（ＰＳＳＣＨ）送信の例を示す図である。ユニキャストとは、例えば、送信側の通信装置２０Ａから受信側の通信装置２０Ｂへの１対１の送信のことをいう。
【００４３】
図９Ｂは、グループキャストＰＳＣＣＨ／ＰＳＳＣＨ送信の例を示す図である。グループキャストとは、例えば、送信側の通信装置２０Ａから受信側の通信装置２０のグループである、通信装置２０Ｂ及び通信装置２０Ｂ'への送信のことをいう。
【００４４】
図９Ｃは、ブロードキャストＰＳＣＣＨ／ＰＳＳＣＨ送信の例を示す図である。ブロードキャストとは、例えば、送信側の通信装置２０Ａから所定範囲内の受信側の全通信装置２０である、通信装置２０Ｂ、通信装置２０Ｂ'、及び通信装置２０Ｂ''への送信のことをいう。
【００４５】
ＬＴＥのＶ２Ｘでは、Ｈｙｂｒｉｄ  Ａｕｔｏｍａｔｉｃ  Ｒｅｐｅａｔ  ｒｅＱｕｅｓｔ（ＨＡＲＱ）はサポートされていなかった。これに対して、ＮＲのＶ２Ｘでは、ＨＡＲＱをサポートすることが検討されている。このため、ＮＲでは、Ｓｉｄｅｌｉｎｋ  Ｆｅｅｄｂａｃｋ  Ｃｏｎｔｒｏｌ  Ｉｎｆｏｒｍａｔｉｏｎ  （ＳＦＣＩ）が規定され、ＨＡＲＱ−ＡＣＫは、ＳＦＣＩを介して送信されることが想定されている。さらに、ＳＦＣＩを送信するためのチャネルとして、Ｐｈｙｓｉｃａｌ  Ｓｉｄｅｌｉｎｋ  Ｆｅｅｄｂａｃｋ  Ｃｈａｎｎｅｌ  （ＰＳＦＣＨ）が規定されている。ＰＳＦＣＨを介してＳＦＣＩを送信することが合意されている。
【００４６】
（メジャメントコンフィギュレーションについて）
非特許文献３によると、ネットワークは、メジャメントコンフィギュレーション（ｍｅａｓｕｒｅｍｅｎｔ  ｃｏｎｆｉｇｕｒａｔｉｏｎ）に従って測定を実行し、測定結果を通知するように、ＲＲＣ接続されているユーザ装置を設定することができる。
【００４７】
ネットワークは、Ｓｙｎｃｈｒｏｎｉｚａｔｉｏｎ  Ｓｉｇｎａｌ（ＳＳ）／Ｐｈｙｓｉｃａｌ  Ｂｒｏａｄｃａｓｔ  Ｃｈａｎｎｅｌ（ＰＢＣＨ）ブロックの測定を行い、測定した結果を通知するように、ユーザ装置を設定することができる。
【００４８】
また、ネットワークは、Ｃｈａｎｎｅｌ  Ｓｔａｔｅ  Ｉｎｆｏｒｍａｔｉｏｎ（ＣＳＩ）−Ｒｅｆｅｒｅｎｃｅ  Ｓｉｇｎａｌ（ＲＳ）リソースごとに測定を行い、測定結果を通知するように、ユーザ装置を設定することができる。
【００４９】
この場合、ネットワークは、ユーザ装置による測定を設定するためのメジャメントコンフィギュレーションに、測定対象（ＳＳ／ＰＢＣＨブロック、Ｓ−ＰＳＳ／Ｓ−ＳＳＳ／ＰＳＢＣＨ、ＣＳＩ−ＲＳ等）を指定するパラメータ（ｍｅａｓｕｒｅｍｅｎｔ  ｏｂｊｅｃｔｓ）及び報告の設定（報告の契機、リファレンス信号の種別、報告のフォーマット等）を指定するパラメータ（ｒｅｐｏｒｔｉｎｇ  ｃｏｎｆｉｇｕｒａｔｉｏｎｓ）を含めてユーザ装置に送信することにより、測定を実行し、測定結果をネットワークに通知するように、当該ユーザ装置を設定することができる。
【００５０】
以下の実施例において説明されるように、このような既存のＮＲにおけるメジャメントコンフィギュレーションに基づくチャネル状態情報（ＣＳＩ）の測定及び通知の方式を応用することで、システムに大きな変更を加えずに、サイドリンクで通信する通信装置２０に、サイドリンク通信のチャネル状態情報を通知させることができる。なお、以下の実施例では、非周期的（Ａｐｅｒｉｏｄｉｃ）なサイドリンク通信のチャネル状態情報（ＣＳＩ：Ｃｈａｎｎｅｌ  Ｓｔａｔｅ  Ｉｎｆｏｒｍａｔｉｏｎ）の通知に関する実施例を説明する。しかしながら、本発明の実施例は、非周期的なサイドリンク通信のチャネル状態情報の通知に限定されず、例えば、セミパーシステント（Ｓｅｍｉ−ｐｅｒｓｉｓｔｅｎｔ）なサイドリンク通信のＣＳＩの通知に対しても適用可能である。例えば、ＣＳＩの通知をリクエスト（トリガ）するという内容を、サイドリンク通信のＣＳＩの通知のアクティベーションを行うという内容に読み替えることで、以下の実施例の内容をセミパーシステントなサイドリンク通信のＣＳＩの通知に適用することが可能である。
【００５１】
（例１）
例１では、通信装置２０Ａからサイドリンク通信のＣＳＩリクエスト（メジャメントコンフィギュレーション）を受信した通信装置２０Ｂは、当該サイドリンク通信のＣＳＩリクエストで指定される測定対象の信号（リファレンス信号等）の測定を行って、当該信号の測定を行うことで得られるサイドリンク通信のチャネル状態情報（ＣＳＩ）をＰＳＦＣＨ又はＰＳＳＣＨを介して通信装置２０Ａに通知する。
【００５２】
図１０を参照して、具体的な動作例を説明する。図１０には、動作例として、ＮＲのＶ２ＸのＳＬ  ｔｒａｎｓｍｉｓｓｉｏｎ  ｍｏｄｅ  １の場合が示されている。しかしながら、本実施例は、当該ＳＬ  ｔｒａｎｓｍｉｓｓｉｏｎ  ｍｏｄｅ  １には限定されず、ＮＲのＶ２ＸのＳＬ  ｔｒａｎｓｍｉｓｓｉｏｎ  ｍｏｄｅ  ２に対しても適用することが可能である。さらに、本実施例の全て又は一部は、ＮＲのＶ２ＸのＳＬ  ｔｒａｎｓｍｉｓｓｉｏｎ  ｍｏｄｅ  ２ａに対しても適用することが可能であり、かつＮＲのＶ２ＸのＳＬ  ｔｒａｎｓｍｉｓｓｉｏｎ  ｍｏｄｅ  ２ｃに対しても適用することが可能である。
【００５３】
まず、ステップＳ１０１で、基地局１０は、通信装置２０Ａにサイドリンク通信のＣＳＩリクエスト（メジャメントコンフィギュレーション）を送信する。
【００５４】
当該サイドリンク通信のＣＳＩリクエストを受信したことに応答して、通信装置２０Ａは、ステップＳ１０２で当該サイドリンク通信のＣＳＩリクエストを通信装置２０Ｂに送信（転送）する。
【００５５】
当該サイドリンク通信のＣＳＩリクエストを受信したことに応答して、通信装置２０Ｂは、ステップＳ１０３で当該サイドリンク通信のＣＳＩリクエストに基づいて信号（ＳＳ／ＰＢＣＨブロック、Ｓ−ＰＳＳ／Ｓ−ＳＳＳ／ＰＳＢＣＨ、ＣＳＩ−ＲＳ等）の測定を行い、サイドリンク通信のＣＳＩを導出し、導出したサイドリンク通信のＣＳＩを通信装置２０Ａに通知する。
【００５６】
通信装置２０Ｂからサイドリンク通信のＣＳＩを受信したことに応答して、通信装置２０Ａは、ステップＳ１０４で受信したサイドリンク通信のＣＳＩを基地局１０に通知する。
【００５７】
このように、通信装置２０Ａからサイドリンク通信のＣＳＩを受信した基地局１０は、受信したサイドリンク通信のＣＳＩに基づいて、ＰＳＦＣＨ及び／又はＰＳＳＣＨのスケジューリングを行ってもよい。これにより、通信装置２０Ａと通信装置２０Ｂとの間のサイドリンクの通信のスケジューリングをより適切に行うことが可能となる。
【００５８】
（Ｏｐｔｉｏｎ  １）
上述の動作例において、基地局１０は、通信装置２０ＢにＰＳＦＣＨの測定を行って、当該測定を行った結果を通知させるように、サイドリンク通信のＣＳＩのリクエスト（メジャメントコンフィギュレーション）を設定してもよい。
【００５９】
（Ｏｐｔｉｏｎ  ２）
追加的に又は代替的に、基地局１０は、通信装置２０ＢにＰＳＳＣＨの測定を行って、当該測定を行った結果を通知させるように、サイドリンク通信のＣＳＩのリクエスト（メジャメントコンフィギュレーション）を設定してもよい。
【００６０】
（Ｏｐｔｉｏｎ  ３）
さらに、上述の動作例において、基地局１０は、サイドリンク通信のＣＳＩリクエストをスケジューリング用の下り制御情報（ｓｃｈｅｄｕｌｉｎｇ  ｄｏｗｎｌｉｎｋ  ｃｏｎｔｒｏｌ  ｉｎｆｏｒｍａｔｉｏｎ（ＤＣＩ））に含めて通信装置２０Ａに送信してもよい。この際に、通信装置２０Ａに通知されるサイドリンク通信のＣＳＩリクエストには、通信装置２０Ａにチャネル状態測定用の信号（ＳＳ／ＰＢＣＨブロック、Ｓ−ＰＳＳ／Ｓ−ＳＳＳ／ＰＳＢＣＨ、ＣＳＩ−ＲＳ等）を送信させるための指示が含まれていてもよい。また、通信装置２０Ａに通知されるサイドリンク通信のＣＳＩリクエストは、通信装置２０Ａから送信される信号を通信装置２０Ｂにて測定することで得られる測定結果を通信装置２０Ａ又は基地局１０に通知させるために、通信装置２０Ａのユーザ装置ｉｄｅｎｔｉｔｙ（ＵＥ−ＩＤ）及び通信装置２０ＢのＵＥ−ＩＤを含んでいてもよい。追加的に、通信装置２０Ａに通知されるサイドリンク通信のＣＳＩリクエストは、通信装置２０Ａから送信される信号を通信装置２０Ｂにて測定することで得られる測定結果を通信装置２０Ａ又は基地局１０に通知させるための情報を含んでもよい。代替的に、通信装置２０Ａに通知されるサイドリンク通信のＣＳＩリクエストは、通信装置２０Ｂから送信される信号を通信装置２０Ａにて測定することで得られる測定結果を基地局１０に通知させるための情報を含んでいてもよい。追加的に又は代替的に、通信装置２０Ａに通知されるサイドリンク通信のＣＳＩリクエストは、通信装置２０Ａから送信される信号を通信装置２０Ｂにて測定することで得られる測定結果、及び通信装置２０Ｂから送信される信号を通信装置２０Ａにて測定することで得られる測定結果を基地局１０に通知させるための情報を含んでいてもよい。
【００６１】
（Ｏｐｔｉｏｎ  ４）
また、上述の動作例において、サイドリンク通信のＣＳＩリクエストは、通信装置２０Ａを介して通信装置２０Ｂに通知されているので、上位レイヤで設定されるサイドリンク通信のＣＳＩリクエストに含まれるレポーティングコンフィギュレーションは、通信装置２０Ａと通信装置２０Ｂとの間で同じものであってもよい。
【００６２】
（Ｏｐｔｉｏｎ  ５）
また、上述の動作例において、基地局１０がサイドリンク通信のＣＳＩリクエストをスケジューリング用のＤＣＩに含めて通信装置２０Ａに送信する場合、当該スケジューリング用のＤＣＩはＵｕインタフェース（基地局１０と通信装置２０Ａとの間のインタフェース）におけるサイドリンク通信のＣＳＩを通知するためのリソースを指定する情報を含んでもよく、かつ／又は当該スケジューリング用のＤＣＩは、ＳＬインタフェース（通信装置２０Ａと通信装置２０Ｂとの間のインタフェース）におけるサイドリンク通信のＣＳＩを通知するためのリソースを指定するための情報を含んでもよい。
【００６３】
（Ｏｐｔｉｏｎ  ６）
また、上述の動作例において、ステップＳ１０１における、基地局１０から通信装置２０Ａへのサイドリンク通信のＣＳＩリクエストの送信及びステップＳ１０４における通信装置２０Ａから基地局１０へのサイドリンク通信のＣＳＩの通知が省略された場合は、通信装置２０Ａから通信装置２０Ｂに、例えば、サイドリンク通信のＣＳＩリクエストを含むスケジューリングサイドリンク制御情報（Ｓｃｈｅｄｕｌｉｎｇ  ｓｉｄｅｌｉｎｋ  ｃｏｎｔｒｏｌ  ｉｎｆｏｒｍａｔｉｏｎ（ＳＣＩ））を送信して、通信装置２０Ａが通信装置２０Ｂから測定結果をＰＳＦＣＨ又はＰＳＳＣＨを介して受信する動作に該当する。このため、上述の動作例は、ＮＲのＶ２ＸのＳＬ  ｔｒａｎｓｍｉｓｓｉｏｎ  ｍｏｄｅ  ２ａに対しても適用することが可能であり、かつＮＲのＶ２ＸのＳＬ  ｔｒａｎｓｍｉｓｓｉｏｎ  ｍｏｄｅ  ２ｃに対しても適用することが可能である。なお、基地局１０を介さないで、通信装置２０Ａから通信装置２０Ｂにサイドリンク通信のＣＳＩ通知設定（ＣＳＩ  ｒｅｐｏｒｔｉｎｇ  ｓｅｔｔｉｎｇ）に紐づくサイドリンク通信のＣＳＩリクエストを送信する場合、通信装置２０Ａ及び通信装置２０Ｂにおいて、予め同じサイドリンク通信のＣＳＩ通知の設定が行われていてもよい。
【００６４】
（例２）
例２では、通信装置２０Ａからサイドリンク通信のＣＳＩリクエスト（メジャメントコンフィギュレーション）を受信した通信装置２０Ｂは、当該サイドリンク通信のＣＳＩリクエストで指定される測定対象の信号（リファレンス信号等）の測定を行って、当該信号の測定を行うことで得られたサイドリンク通信のチャネル状態情報（ＣＳＩ）をＰｈｙｓｉｃａｌ  Ｕｐｌｉｎｋ  Ｃｏｎｔｒｏｌ  Ｃｈａｎｎｅｌ（ＰＵＣＣＨ）又はＰｈｙｓｉｃａｌ  Ｕｐｌｉｎｋ  Ｓｈａｒｅｄ  Ｃｈａｎｎｅｌ  （ＰＵＳＣＨ）を介して基地局１０に通知する。
【００６５】
図１１を参照して、具体的な動作例を説明する。なお、上述のＯｐｔｉｏｎ  １〜６については、必要な場合に適宜変更を加えた上で、例２に対しても適用可能である。
【００６６】
まず、ステップＳ２０１で、基地局１０は、通信装置２０Ａにサイドリンク通信のＣＳＩリクエスト（メジャメントコンフィギュレーション）を送信する。
【００６７】
当該サイドリンク通信のＣＳＩリクエストを受信したことに応答して、通信装置２０Ａは、ステップＳ２０２で当該サイドリンク通信のＣＳＩリクエストを通信装置２０Ｂに送信する。
【００６８】
当該サイドリンク通信のＣＳＩリクエストを受信したことに応答して、通信装置２０Ｂは、ステップＳ２０３で当該サイドリンク通信のＣＳＩリクエストに基づいて信号（ＳＳ／ＰＢＣＨブロック、Ｓ−ＰＳＳ／Ｓ−ＳＳＳ／ＰＳＢＣＨ、ＣＳＩ−ＲＳ等）の測定を行い、サイドリンク通信のＣＳＩを導出し、導出したサイドリンク通信のＣＳＩを基地局１０に通知する。
【００６９】
このように、通信装置２０Ｂからサイドリンク通信のＣＳＩを受信した基地局１０は、受信したサイドリンク通信のＣＳＩに基づいて、ＰＳＦＣＨ及び／又はＰＳＳＣＨのスケジューリングを行ってもよい。これにより、通信装置２０Ａと通信装置２０Ｂとの間のサイドリンクの通信のスケジューリングをより適切に行うことが可能となる。
【００７０】
図１１に示すサイドリンク通信のＣＳＩを通知するための経路は、通信装置２０Ｂから基地局１０への経路のみとなる。このため、図１１に示すサイドリンク通信のＣＳＩを通知するための経路によれば、図１０に示すサイドリンク通信のＣＳＩを通知するための経路、すなわち、通信装置２０Ｂから通信装置２０Ａを介して基地局１０に至る経路に比べて、サイドリンク通信のＣＳＩを通知するための送信リソースを削減できる。
【００７１】
（例３）
例３では、基地局１０は、受信側の通信装置２０Ｂに対して、サイドリンク通信のＣＳＩリクエストを送信して、受信側の通信装置２０Ｂからサイドリンク通信のＣＳＩを受信する。上述の例１及び例２の場合とは異なり、基地局１０は、送信側の通信装置２０Ａに対して、サイドリンク通信のチャネル状態情報測定用の信号の非周期的な送信の指示を行わない。この場合、例えば、受信側の通信装置２０Ｂは、送信側の通信装置２０Ａからの周期的な測定対象信号（ＳＳ／ＰＢＣＨブロック、Ｓ−ＰＳＳ／Ｓ−ＳＳＳ／ＰＳＢＣＨ、ＣＳＩ−ＲＳ等）送信を利用してサイドリンク通信のＣＳＩを算出することができる。
【００７２】
図１２Ａを参照して、具体的な動作例を説明する。
【００７３】
ステップＳ３０１において、基地局１０は、受信側の通信装置２０Ｂに対して、サイドリンク通信のＣＳＩリクエストを送信する。この際に、基地局１０は、送信側の通信装置２０Ａに対して、サイドリンク通信のチャネル状態情報測定用の信号の非周期的な送信の指示を行わない。
【００７４】
ステップＳ３０２において、受信側の通信装置２０Ｂは、送信側の通信装置２０Ａからの測定対象信号（ＳＳ／ＰＢＣＨブロック、Ｓ−ＰＳＳ／Ｓ−ＳＳＳ／ＰＳＢＣＨ、ＣＳＩ−ＲＳ等）の送信を利用してサイドリンク通信のＣＳＩを算出して、算出したサイドリンク通信のＣＳＩを基地局１０に送信する。
【００７５】
なお、例３において、通信装置２０Ｂからのサイドリンク通信のＣＳＩの通知が非周期的な測定対象信号（ＣＳＩ−ＲＳ等）の送信、又はセミパーシステントな測定対象信号（ＣＳＩ−ＲＳ等）の送信に基づく場合には、図１２Ｂに示すように、基地局１０は、ステップＳ３０１'において、送信側の通信装置２０Ａに対して、非周期的な測定対象信号（ＣＳＩ−ＲＳ等）の送信、又はセミパーシステントな測定対象信号（ＣＳＩ−ＲＳ等）の送信をリクエストし、かつ受信側の通信装置２０Ｂに対して、サイドリンク通信のＣＳＩリクエストを通知してもよい。当該基地局１０からのリクエストを受信した送信側の通信装置２０Ａは、ステップＳ３０２'において、非周期的な測定対象信号（ＣＳＩ−ＲＳ等）の送信、又はセミパーシステントな測定対象信号（ＣＳＩ−ＲＳ等）の送信を行ってもよく、かつ受信側の通信装置２０Ｂは、受信した非周期的な測定対象信号（ＣＳＩ−ＲＳ等）、又は受信したセミパーシステントな測定対象信号（ＣＳＩ−ＲＳ等）に基づいて、サイドリンク通信のＣＳＩを算出して、当該算出したサイドリンク通信のＣＳＩを基地局１０に送信してもよい。
【００７６】
（例４）
例４では、サイドリンク通信のＣＳＩを送信する通信装置２０を、基地局１０又は他の通信装置２０からの指示、又は状況に応じて切り替えてもよい。
【００７７】
例えば、基地局１０からのＤＣＩのフォーマットに応じて、サイドリンク通信のＣＳＩを送信する通信装置２０を切り替えてもよい。例えば、基地局１０から送信されるＤＣＩのフォーマットがＤＣＩフォーマットＡである場合、例１に記載した方式を適用してもよい。また、例えば、基地局１０から送信されるＤＣＩのフォーマットがＤＣＩフォーマットＢである場合には、例２に記載した方式を適用してもよい。
【００７８】
また、例えば、ＳＬ  ｔｒａｎｓｍｉｓｓｉｏｎ  ｍｏｄｅに応じて、サイドリンク通信のＣＳＩを送信する通信装置２０を切り替えてもよい。例えば、ＳＬ  ｔｒａｎｓｍｉｓｓｉｏｎ  ｍｏｄｅ１の場合には、例１に記載した方式を適用してもよい。また、ＳＬ  ｔｒａｎｓｍｉｓｓｉｏｎ  ｍｏｄｅ２ｄの場合には、例２に記載した方式を適用してもよい。
【００７９】
また、例えば、ＰＵＣＣＨ／ＰＵＳＣＨリソースに応じて、サイドリンク通信のＣＳＩを送信する通信装置２０を切り替えてもよい。
【００８０】
また、例えば、サイドリンク通信のＣＳＩリクエストを含むＤＣＩにおける当該サイドリンク通信のＣＳＩリクエストを含むＣＯＲＳＥＴのインデックス、又はサイドリンク通信のＣＳＩリクエストを含むＤＣＩにおける当該サイドリンク通信のＣＳＩリクエストを含むＣＣＥのインデックスに応じて、サイドリンク通信のＣＳＩを送信する通信装置２０を切り替えてもよい。
【００８１】
また、上位レイヤのパラメータに応じて、サイドリンク通信のＣＳＩを送信する通信装置２０を切り替えてもよい。
【００８２】
また、通信種別（ユニキャスト、グループキャスト、ブロードキャスト等）に応じて、サイドリンク通信のＣＳＩを送信する通信装置２０を切り替えてもよい。
【００８３】
また、ＳＳＢ／ＰＢＣＨの種別に応じて、サイドリンク通信のＣＳＩを送信する通信装置２０を切り替えてもよい。或いは、測定対象信号（ＣＳＩ−ＲＳ等）の種別に応じて、サイドリンク通信のＣＳＩを送信する通信装置２０を切り替えてもよい。例えば、周期的に送信されるＣＳＩ−ＲＳに基づくサイドリンク通信のＣＳＩを通知する場合、例３に記載した方式を適用してもよい。また、非周期的に送信されるＣＳＩ−ＲＳに基づくサイドリンク通信のＣＳＩを通知する場合、例２に記載した方式を適用してもよい。
【００８４】
また、サイドリンク通信のＣＳＩの通知の種別に応じて、サイドリンク通信のＣＳＩを送信する通信装置２０を切り替えてもよい。
【００８５】
上述の例１〜例４は、セミパーシステントＣＳＩ通知（ＳＰ−ＣＳＩ  ｒｅｐｏｒｔｉｎｇ）に対して適用することが可能である。この場合において、サイドリンク通信のＣＳＩ通知をリクエストするスケジューリングＤＣＩ及びＳＣＩを、ＳＰ−ＣＳＩ  ｒｅｐｏｒｔｉｎｇのアクティベーション／ディアクティベーションのためのＤＣＩとすることができる。ここで、ＳＰ−ＣＳＩ  ｒｅｐｏｒｔｉｎｇのアクティベーション／ディアクティベーションは、専用のＲＮＴＩ（ｄｅｄｉｃａｔｅｄ  Ｒａｄｉｏ  Ｎｅｔｗｏｒｋ  Ｔｅｍｐｏｒａｒｙ  Ｉｄｅｎｔｉｆｉｅｒ）でスクランブルされたＤＣＩの特定の組み合わせにより行うことができる。サイドリンク通信のＣＳＩ通知をリクエストするスケジューリングＤＣＩ及びＳＣＩを、ＳＰ−ＣＳＩ通知のＭＡＣ−ＣＥアクティベーション／ディアクティベーションに置き換えてもよい。
【００８６】
上述の例１から例４では、通信装置２０がサイドリンク通信のＣＳＩを通知する例について説明した。ここで、サイドリンク通信のＣＳＩを通信装置２０が通知する場合に、当該通信装置２０において、サイドリンク通信のＣＳＩを通知するための時間及び／又は周波数リソースと、他のサイドリンク通信のＣＳＩを通知するための時間及び／又は周波数リソース又はＵｕインタフェース（基地局１０と通信装置２０との間のインタフェース）におけるＣＳＩを通知するための時間及び／又は周波数リソースとが競合する（衝突する）可能性がある。以下の例では、このようなサイドリンク通信のＣＳＩの通知と、他のサイドリンク通信のＣＳＩの通知又はＵｕインタフェースのＣＳＩの通知とが衝突した場合における通信装置２０における動作例を説明する。
【００８７】
（例５−１）
通信装置２０において、サイドリンク通信のＣＳＩを通知するための時間及び／又は周波数リソースと、ＵｕインタフェースにおけるＣＳＩを通知するための時間及び／又は周波数リソースとが競合した（衝突した）場合において、例えば、通信装置２０は、ＵｕインタフェースにおけるＣＳＩの通知を優先的に行い、サイドリンク通信のＣＳＩの通知を行わなくてもよい。
【００８８】
（例５−２）
通信装置２０において、サイドリンク通信のＣＳＩを通知するための時間及び／又は周波数リソースと、ＵｕインタフェースにおけるＣＳＩを通知するための時間及び／又は周波数リソースとが競合した（衝突した）場合において、例えば、通信装置２０は、サイドリンク通信のＣＳＩの通知を優先的に行い、ＵｕインタフェースにおけるＣＳＩの通知を行わなくてもよい。
【００８９】
（例５−３）
通信装置２０において、サイドリンク通信のＣＳＩを通知するための時間及び／又は周波数リソースと、ＵｕインタフェースにおけるＣＳＩを通知するための時間及び／又は周波数リソースとが競合した（衝突した）場合において、例えば、通信装置２０は、サイドリンク通信のＣＳＩとＵｕインタフェースにおけるＣＳＩとを多重して通知してもよい。この場合において、例えば、非周期的なＣＳＩの通知、ＰＵＳＣＨを介してのセミパーシステントなＣＳＩの通知、ＰＵＣＣＨを介してのセミパーシステントなＣＳＩの通知、及び周期的なＣＳＩの通知の順に、非周期的なＣＳＩの通知の優先順位が最も高くなり、周期的なＣＳＩの通知の優先順位が最も低くなるように、優先順位付けを行うことにより、優先順位の高いＣＳＩの通知を優先的に行い、優先順位の低いＣＳＩの通知を行わないようにしてもよい。ただし、ｍｕｌｔｉ−ＣＳＩ  ＰＵＣＣＨリソースが設定されている場合には、ＰＵＣＣＨを介してのセミパーシステントなＣＳＩの通知及び周期的なＣＳＩの通知を行わないことに代えて、ＰＵＣＣＨを介してのセミパーシステントなＣＳＩ及び周期的なＣＳＩを多重して、これらのＣＳＩの通知を行ってもよい。
【００９０】
（例５−４）
通信装置２０において、サイドリンク通信のＣＳＩを通知するための時間及び／又は周波数リソースと、ＵｕインタフェースにおけるＣＳＩを通知するための時間及び／又は周波数リソースとが競合した（衝突した）場合において、例えば、通信装置２０は、ＣＳＩの通知の種別に対応付けられる優先順位に基づいて、優先順位の高いＣＳＩの通知を優先的に行い、優先順位の低いＣＳＩの通知は行わないようにしてもよい。ここで、例えば、非周期的なＵｕインタフェースにおけるＣＳＩの通知、非周期的なサイドリンク通信のＣＳＩの通知、ＰＵＳＣＨを介してのセミパーシステントなＵｕインタフェースにおけるＣＳＩの通知、ＰＵＳＣＨを介してのセミパーシステントなサイドリンク通信のＣＳＩの通知、ＰＵＣＣＨを介してのセミパーシステントなＵｕインタフェースにおけるＣＳＩの通知、ＰＵＣＣＨを介してのセミパーシステントなサイドリンク通信のＣＳＩの通知、周期的なＵｕインタフェースにおけるＣＳＩの通知、及び周期的なサイドリンク通信のＣＳＩの通知の順に、非周期的なＵｕインタフェースにおけるＣＳＩの通知の優先順位が最も高くなり、周期的なサイドリンク通信のＣＳＩの通知の優先順位が最も低くなるように、優先順位付けが行われてもよい。
【００９１】
（例５−５）
例えば、上位レイヤのパラメータにより、上述の例５−１から例５−４のうちのいずれの競合解決方法を適用するかが通信装置２０において、予め設定されていてもよい。その上で、通信装置２０において、サイドリンク通信のＣＳＩを通知するための時間及び／又は周波数リソースと、ＵｕインタフェースにおけるＣＳＩを通知するための時間及び／又は周波数リソースとが競合した（衝突した）場合において、通信装置２０は予め設定されている競合解決方法を適用してもよい。
【００９２】
（例５−６）
通信装置２０において、サイドリンク通信のＣＳＩを通知するための時間及び／又は周波数リソースと、ＵｕインタフェースにおけるＣＳＩを通知するための時間及び／又は周波数リソースとが競合した（衝突した）場合において、例えば、通信装置２０は、異なる複数のＰＵＣＣＨ及びＰＵＳＣＨを介する同時送信により、複数のＣＳＩを通知してもよい。
【００９３】
（例５−７）
通信装置２０において、サイドリンク通信のＣＳＩを通知するための時間及び／又は周波数リソースと、ＵｕインタフェースにおけるＣＳＩを通知するための時間及び／又は周波数リソースとが競合しないと設定しておき、サイドリンク通信のＣＳＩを通知するための時間及び／又は周波数リソースと、ＵｕインタフェースにおけるＣＳＩを通知するための時間及び／又は周波数リソースとが競合した場合についてはエラーであるとして、通信装置２０が処理を行ってもよい。すなわち、スケジューリングを行う段階で、サイドリンク通信のＣＳＩを通知するための時間及び／又は周波数リソースと、ＵｕインタフェースにおけるＣＳＩを通知するための時間及び／又は周波数リソースとが競合しないように設定してもよい。
【００９４】
（例６−１）
通信装置２０において、サイドリンク通信のＣＳＩを通知するための時間及び／又は周波数リソースと、他のサイドリンク通信のＣＳＩを通知するための時間及び／又は周波数リソースとが競合した（衝突した）場合において、例えば、通信装置２０は、サイドリンク通信のＣＳＩと他のサイドリンク通信のＣＳＩとを多重して通知してもよい。
【００９５】
（例６−２）
通信装置２０において、サイドリンク通信のＣＳＩを通知するための時間及び／又は周波数リソースと、他のサイドリンク通信のＣＳＩを通知するための時間及び／又は周波数リソースとが競合した（衝突した）場合において、例えば、通信装置２０は、当該サイドリンク通信のＣＳＩ及び当該他のサイドリンク通信のＣＳＩに対して設定されている優先順位に基づき、優先順位の高いＣＳＩを通知して、優先順位の低いＣＳＩを通知しなくてもよい。
【００９６】
（例６−３）
通信装置２０において、サイドリンク通信のＣＳＩを通知するための時間及び／又は周波数リソースと、他のサイドリンク通信のＣＳＩを通知するための時間及び／又は周波数リソースとが競合した（衝突した）場合において、例えば、通信装置２０は、異なる複数のＰＵＣＣＨ及びＰＵＳＣＨを介する同時送信により、複数のサイドリンク通信のＣＳＩを通知してもよい。
【００９７】
なお、上述の例１、例２、及び例３において、基地局１０を、スケジューリング機能を有する通信装置２０に置き換えてもよい。
【００９８】
（装置構成）
次に、これまでに説明した処理動作を実行する基地局１０及び通信装置２０の機能構成例を説明する。
【００９９】
＜基地局１０＞
図１３は、基地局１０の機能構成の一例を示す図である。図１３に示すように、基地局１０は、送信部１０１と、受信部１０２と、設定情報管理部１０３と、制御部１０４とを有する。図１３に示す機能構成は一例に過ぎない。本実施の形態に係る動作を実行できるのであれば、機能区分及び機能部の名称はどのようなものでもよい。なお、送信部１０１を送信機と称し、受信部１０２を受信機と称してもよい。
【０１００】
送信部１０１は、通信装置２０側に送信する信号を生成し、当該信号を無線で送信する機能を含む。受信部１０２は、通信装置２０から送信された各種の信号を受信し、受信した信号から、例えば、より上位のレイヤの情報を取得する機能を含む。また、受信部１０２は受信する信号の測定を行って、品質値を取得する機能を含む。
【０１０１】
設定情報管理部１０３には、予め設定した設定情報、通信装置２０から受信する設定情報等が格納される。なお、送信に関わる設定情報が送信部１０１に格納され、受信に関わる設定情報が受信部１０２に格納されることとしてもよい。制御部１０４は、基地局１０の制御を行う。なお、送信に関わる制御部１０４の機能が送信部１０１に含まれ、受信に関わる制御部１０４の機能が受信部１０２に含まれてもよい。
【０１０２】
例えば、受信部１０２は、通信装置２０からＣＳＩを含む信号を受信する。制御部１０４は、通信装置２０から受信したＣＳＩに基づき、通信装置２０におけるＰＳＦＣＨ及び／又はＰＳＳＣＨのスケジューリングを行ってもよい。制御部１０４は、決定したスケジューリングを示す情報を作成し、送信部１０１が当該作成した情報を含む信号を通信装置２０に送信する。
【０１０３】
＜通信装置２０＞
図１４は、通信装置２０の機能構成の一例を示す図である。図１４に示されるように、通信装置２０は、送信部２０１と、受信部２０２と、設定情報管理部２０３と、制御部２０４を有する。図１４に示す機能構成は一例に過ぎない。本実施の形態に係る動作を実行できるのであれば、機能区分及び機能部の名称はどのようなものでもよい。なお、送信部２０１を送信機と称し、受信部２０２を受信機と称してもよい。また、通信装置２０は、送信側の通信装置２０Ａであってもよいし、受信側の通信装置２０Ｂであってもよい。
【０１０４】
送信部２０１は、送信データから送信信号を作成し、当該送信信号を無線で送信する。受信部２０２は、各種の信号を無線受信し、受信した物理レイヤの信号からより上位のレイヤの信号を取得する。また、受信部２０２は受信する信号の測定を行って、品質値を取得する機能を含む。
【０１０５】
設定情報管理部２０３には、予め設定した設定情報、基地局１０から受信する設定情報等が格納される。設定情報管理部２０３は、基地局１０又は他の通信装置２０から受信部２０２を介して受信したＣＳＩリクエスト（メジャメントコンフィギュレーション）を格納してもよい。なお、送信に関わる設定情報が送信部２０１に格納され、受信に関わる設定情報が受信部２０２に格納されることとしてもよい。制御部２０４は、通信装置２０の制御を行う。なお、送信に関わる制御部２０４の機能が送信部２０１に含まれ、受信に関わる制御部２０４の機能が受信部２０２に含まれてもよい。
【０１０６】
例えば、制御部２０４は、受信部２０２が基地局１０又は他の通信装置２０から受信したＣＳＩリクエスト（メジャメントコンフィギュレーション）に基づいて、受信部２０２に他の通信装置２０から送信される信号（ＳＳ／ＰＢＣＨブロック、ＣＳＩ−ＲＳ等）を測定させ、測定結果に基づいてチャネル状態情報（ＣＳＩ）を導出し、導出したＣＳＩを送信部２０１に送信させてもよい。
【０１０７】
＜ハードウェア構成＞
上記実施の形態の説明に用いたブロック図（図１３〜図１４）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【０１０８】
また、例えば、本発明の一実施の形態における通信装置２０と基地局１０はいずれも、本実施の形態に係る処理を行うコンピュータとして機能してもよい。図１５は、本実施の形態に係る通信装置２０と基地局１０のハードウェア構成の一例を示す図である。上述の通信装置２０と基地局１０はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【０１０９】
なお、以下の説明では、「装置」という文言は、回路、デバイス、ユニットなどに読み替えることができる。通信装置２０と基地局１０のハードウェア構成は、図に示した１００１〜１００６で示される各装置を１つ又は複数含むように構成されてもよいし、一部の装置を含まずに構成されてもよい。
【０１１０】
通信装置２０と基地局１０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【０１１１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４、呼処理部１０５などは、プロセッサ１００１によって実現されてもよい。
【０１１２】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、通信装置２０の制御部４０１は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【０１１３】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１１４】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【０１１５】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１、アンプ部１０２、送受信部１０３、伝送路インターフェース１０６などは、通信装置１００４によって実現されてもよい。送受信部１０３は、送信部１０３ａと受信部１０３ｂとで、物理的に、または論理的に分離された実装がなされてもよい。
【０１１６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１１７】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１１８】
また、通信装置２０と基地局１０はそれぞれ、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【０１１９】
（実施の形態のまとめ）
本明細書には、少なくとも下記の通信装置及びチャネル状態情報測定方法が開示されている。
【０１２０】
サイドリンクのチャネル状態情報の測定を要求する要求信号を受信する受信部と、前記要求信号に基づき、送信側の通信装置からサイドリンクを介して送信され前記受信部により受信された信号に基づき、前記サイドリンクのチャネル状態情報を導出する制御部と、前記導出されたサイドリンクのチャネル状態情報を送信する送信部とを有する通信装置。
【０１２１】
上記の構成によれば、ＮＲにおけるチャネル状態情報の測定及び通知の方式を応用することで、システムに大きな変更を加えずに、サイドリンクで通信する通信装置に、サイドリンク通信のチャネル状態情報を通知させることができる。また、サイドリンク通信のＣＳＩを受信した送信側の通信装置又は基地局は、受信したサイドリンク通信のＣＳＩに基づいて、ＰＳＦＣＨ及び／又はＰＳＳＣＨのスケジューリングを行うことができる。これにより、送信側の通信装置と受信側の通信装置との間のサイドリンクの通信のスケジューリングをより適切に行うことが可能となる。
【０１２２】
前記受信部は、基地局から送信された前記要求信号を、前記送信側の通信装置を介して前記サイドリンクで受信してもよく、前記送信部は、前記導出されたチャネル状態情報を前記サイドリンクを介して前記送信側の通信装置に送信してもよい。
【０１２３】
上記の構成によれば、ＮＲにおける下りリンクのチャネル状態情報の測定及び通知の方式を応用することで、システムに大きな変更を加えずに、サイドリンクで通信する通信装置に、サイドリンク通信のチャネル状態情報を通知させることができる。
【０１２４】
前記制御部は、前記要求信号に含まれる前記送信側の通信装置の識別子に基づき、前記導出されたチャネル状態情報の送信先を前記送信側の通信装置に設定してもよく、前記制御部は、前記送信部に、前記要求信号により指定されるサイドリンクのリソースを介して前記サイドリンクのチャネル状態情報を前記送信側の通信装置宛に送信させてもよい。
【０１２５】
上記の構成によれば、サイドリンクのチャネル状態情報を導出した受信側の通信装置は、上位レイヤ等において事前に設定された情報に基づいて、導出したサイドリンクのチャネル状態情報の通知先及び当該チャネル状態情報の送信リソースを効率的に決定することができる。
【０１２６】
前記受信部は、基地局から送信された前記要求信号を、前記送信側の通信装置を介さずに受信してもよく、前記制御部は、前記送信側の通信装置から周期的に送信される信号に基づき、前記サイドリンクのチャネル状態情報を導出してもよく、前記送信部は、前記導出されたチャネル状態情報を、前記送信側の通信装置を介さずに、前記基地局に送信してもよい。
【０１２７】
上記の構成によれば、サイドリンクのチャネル状態情報を送信側の通信装置を介して基地局に送信する場合と比較して、サイドリンクのチャネル状態情報を送信するための経路の数を削減できるため、サイドリンクのチャネル状態情報を通知するための送信リソースを削減することができる。また、送信側の通信装置に対して、非周期的なリファレンス信号等の送信を指示することなく、送信側の通信装置により周期的に送信される信号を利用して、サイドリンクのチャネル状態情報を測定することが可能となる。
【０１２８】
前記制御部は、前記サイドリンクのチャネル状態情報を送信するための送信リソースと、ダウンリンクのチャネル状態情報を送信するための送信リソースとが競合した場合において、前記サイドリンクのチャネル状態情報及び前記ダウンリンクのチャネル状態情報に対して設定されている優先順位に基づき、優先順位の最も高いチャネル状態情報を前記送信部に送信させ、優先順位の最も低いチャネル状態情報を前記送信部に送信させないようにしてもよい。
【０１２９】
上記の構成によれば、通信装置において、サイドリンクのチャネル状態情報を送信するための送信リソースと、ダウンリンクのチャネル状態情報を送信するための送信リソースが競合した場合において、リソースの競合を効率的に解消することができる。
【０１３０】
サイドリンクのチャネル状態情報の測定を要求する要求信号を受信するステップと、前記要求信号に基づき、送信側の通信装置からサイドリンクを介して受信された信号に基づき、前記サイドリンクのチャネル状態情報を導出するステップと、前記導出されたサイドリンクのチャネル状態情報を送信するステップとを有する、通信装置によるチャネル状態情報測定方法。
【０１３１】
上記の構成によれば、ＮＲにおけるチャネル状態情報の測定及び通知の方式を応用することで、システムに大きな変更を加えずに、サイドリンクで通信する通信装置に、サイドリンク通信のチャネル状態情報を通知させることができる。また、サイドリンク通信のＣＳＩを受信した送信側の通信装置又は基地局は、受信したサイドリンク通信のＣＳＩに基づいて、ＰＳＦＣＨ及び／又はＰＳＳＣＨのスケジューリングを行うことができる。これにより、送信側の通信装置と受信側の通信装置との間のサイドリンクの通信のスケジューリングをより適切に行うことが可能となる。
【０１３２】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、通信装置２０と基地局１０は機能的なブロック図を用いて説明されたが、そのような装置はハードウェアで、ソフトウェアで又はそれらの組み合わせで実現されてもよい。本発明の実施の形態に従って通信装置２０が有するプロセッサにより動作するソフトウェア及び本発明の実施の形態に従って基地局１０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１３３】
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０１３４】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１３５】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１３６】
本開示において基地局１０によって行われるとした特定動作は、場合によってはその上位ノード（upper  node）によって行われることもある。基地局１０を有する１つ又は複数のネットワークノード（network  nodes）からなるネットワークにおいて、端末との通信のために行われる様々な動作は、基地局１０及び基地局１０以外の他のネットワークノード（例えば、ＭＭＥ又はＳ−ＧＷなどが考えられるが、これらに限られない）の少なくとも１つによって行われ得ることは明らかである。上記において基地局１０以外の他のネットワークノードが１つである場合を例示したが、複数の他のネットワークノードの組み合わせ（例えば、ＭＭＥ及びＳ−ＧＷ）であってもよい。
【０１３７】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１３８】
判定は、１ビットで表される値（０か１か）によって行われてもよいし、真偽値（Boolean：true又はfalse）によって行われてもよいし、数値の比較（例えば、所定の値との比較）によって行われてもよい。
【０１３９】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１４０】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【０１４１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１４２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１４３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１４４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Ｃｏｍｐｏｎｅｎｔ  Ｃａｒｒｉｅｒ）は、キャリア周波数、セル、周波数キャリアなどと呼ばれてもよい。
【０１４５】
本開示において使用する「システム」及び「ネットワーク」という用語は、互換的に使用される。
【０１４６】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１４７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１４８】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１４９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１５０】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１５１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１５２】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１５３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１５４】
同様に、本開示におけるユーザ端末は、基地局で読み替えてもよい。この場合、上述のユーザ端末２０が有する機能を基地局１０が有する構成としてもよい。
【０１５５】
「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１５６】
参照信号は、ＲＳ（Ｒｅｆｅｒｅｎｃｅ  Ｓｉｇｎａｌ）と略称することもでき、適用される標準によってパイロット（Ｐｉｌｏｔ）と呼ばれてもよい。
【０１５７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１５８】
本開示において、「含む（ｉｎｃｌｕｄｅ）」、「含んでいる（ｉｎｃｌｕｄｉｎｇ）」及びそれらの変形が使用されている場合、これらの用語は、用語「備える（ｃｏｍｐｒｉｓｉｎｇ）」と同様に、包括的であることが意図される。さらに、本開示において使用されている用語「又は（ｏｒ）」は、排他的論理和ではないことが意図される。
【０１５９】
本開示において、例えば、英語でのａ、ａｎ及びｔｈｅのように、翻訳により冠詞が追加された場合、本開示は、これらの冠詞の後に続く名詞が複数形であることを含んでもよい。
【０１６０】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１６１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１６２】
１０１  送信部
１０２  受信部
１０３  設定情報管理部
１０４  制御部
２０１  送信部
２０２  受信部
２０３  設定情報管理部
２０４  制御部
１００１  プロセッサ
１００２  メモリ
１００３  ストレージ
１００４  通信装置
１００５  入力装置
１００６  出力装置
【図１】
2020136853.tif 000003
【図２Ａ】
2020136853.tif 000004
【図２Ｂ】
2020136853.tif 000005
【図３】
2020136853.tif 000006
【図４】
2020136853.tif 000007
【図５】
2020136853.tif 000008
【図６】
2020136853.tif 000009
【図７】
2020136853.tif 000010
【図８Ａ】
2020136853.tif 000011
【図８Ｂ】
2020136853.tif 000012
【図８Ｃ】
2020136853.tif 000013
【図８Ｄ】
2020136853.tif 000014
【図９Ａ】
2020136853.tif 000015
【図９Ｂ】
2020136853.tif 000016
【図９Ｃ】
2020136853.tif 000017
【図１０】
2020136853.tif 000018
【図１１】
2020136853.tif 000019
【図１２Ａ】
2020136853.tif 000020
【図１２Ｂ】
2020136853.tif 000021
【図１３】
2020136853.tif 000022
【図１４】
2020136853.tif 000023
【図１５】
2020136853.tif 000024
【手続補正書】
【提出日】令和3年8月19日(2021.8.19)
【手続補正１】
【補正対象書類名】特許請求の範囲
【補正対象項目名】全文
【補正方法】変更
【補正の内容】
【特許請求の範囲】
【請求項１】
サイドリンク通信を行う端末であって、
チャネル状態情報リクエスト（ＣＳＩリクエスト）を含むサイドリンク制御情報（ＳＣＩ）を、他の端末から受信する受信部と、
前記ＣＳＩリクエストに基づいて、チャネル状態測定用参照信号(ＣＳＩ−ＲＳ)を用いてチャネル状態情報（ＣＳＩ）の測定を行う制御部と、
前記測定に基づいて、チャネル状態情報レポート（ＣＳＩレポート）を、サイドリンク共有チャネル（ＰＳＳＣＨ）を介して前記他の端末に送信する送信部と、
を有する端末。
【請求項２】
前記送信部は、前記ＣＳＩリクエストに紐づいたサイドリンク用ＣＳＩレポート設定に基づいて、前記ＣＳＩレポートを送信する、
請求項１に記載の端末。
【請求項３】
前記送信部は、前記ＣＳＩレポートのサイドリンク送信と、基地局へ送信するＣＳＩレポートのアップリンク送信とが競合した場合、前記サイドリンク送信及び前記アップリンク送信のうち、高い優先順位をもつ送信のみを実行する、
請求項１又は請求項２に記載の端末。
【請求項４】
サイドリンク通信を行う端末であって、
チャネル状態情報リクエスト（ＣＳＩリクエスト）を含むサイドリンク制御情報（ＳＣＩ）を、他の端末へ送信する送信部と、
前記ＣＳＩリクエストに基づいて、サイドリンク共有チャネル（ＰＳＳＣＨ）を介して、チャネル状態情報レポート（ＣＳＩレポート）を前記他の端末から受信する受信部と、を有し、
前記送信部は、前記ＣＳＩリクエストに基づいて、チャネル状態測定用参照信号(ＣＳＩ−ＲＳ)を送信する、端末。
【請求項５】
前記受信部は、前記ＣＳＩリクエストに紐づいたサイドリンク用ＣＳＩレポート設定に基づいて、前記ＣＳＩレポートを受信する、
請求項４に記載の端末。
【請求項６】
端末におけるサイドリンク通信の方法であって、
チャネル状態情報リクエスト（ＣＳＩリクエスト）を含むサイドリンク制御情報（ＳＣＩ）を、他の端末から受信する工程と、
前記ＣＳＩリクエストに基づいて、チャネル状態測定用参照信号(ＣＳＩ−ＲＳ)を用いてチャネル状態情報（ＣＳＩ）の測定を行う工程と、
前記測定に基づいて、チャネル状態情報レポート（ＣＳＩレポート）を、サイドリンク共有チャネル（ＰＳＳＣＨ）を介して前記他の端末に送信する工程と、
を有する方法。
【請求項７】
第１の端末と第２の端末との間でサイドリンク通信を行うシステムであって、該システムは前記第１の端末及び前記第２の端末を有し、
前記第１の端末は、
チャネル状態情報リクエスト（ＣＳＩリクエスト）を含むサイドリンク制御情報（ＳＣＩ）を、前記第２の端末へ送信する送信部と、
前記ＣＳＩリクエストに基づいて、サイドリンク共有チャネル（ＰＳＳＣＨ）を介して、チャネル状態情報レポート（ＣＳＩレポート）を前記第２の端末から受信する受信部と、を有し、
前記送信部は、前記ＣＳＩリクエストに基づいて、チャネル状態測定用参照信号(ＣＳＩ−ＲＳ)を送信し、
前記第２の端末は、
前記ＣＳＩリクエストを含む前記ＳＣＩを、第１の端末から受信する受信部と、
前記ＣＳＩリクエストに基づいて、前記ＣＳＩ−ＲＳを用いてチャネル状態情報（ＣＳＩ）の測定を行う制御部と、
前記測定に基づいて、前記ＣＳＩレポートを、前記ＰＳＳＣＨを介して前記第１の端末に送信する送信部と、
を有するシステム。
【手続補正３】
【補正対象書類名】明細書
【補正対象項目名】０００７
【補正方法】変更
【補正の内容】
【０００７】
本発明の一態様によれば、サイドリンク通信を行う端末であって、チャネル状態情報リクエスト（ＣＳＩリクエスト）を含むサイドリンク制御情報（ＳＣＩ）を、他の端末から受信する受信部と、前記ＣＳＩリクエストに基づいて、チャネル状態測定用参照信号(ＣＳＩ−ＲＳ)を用いてチャネル状態情報（ＣＳＩ）の測定を行う制御部と、前記測定に基づいて、チャネル状態情報レポート（ＣＳＩレポート）を、サイドリンク共有チャネル（ＰＳＳＣＨ）を介して前記他の端末に送信する送信部と、を有する端末、が提供される。
【国際調査報告】
2020136853.tif 000025
2020136853.tif 000026
2020136853.tif 000027
2020136853.tif 000028